(57)【特許請求の範囲】
【請求項１】
複数のラインが配列されてなるスキャンパターンで眼底の光コヒーレンストモグラフィ（ＯＣＴ）を行うことが可能な眼科撮影装置であって、
前記眼底に測定光を投射し、その戻り光と参照光との干渉光を検出し、その検出データを収集するデータ収集部と、
前記測定光を２次元的に偏向可能な光スキャナと、
前記複数のラインの配列順と異なる実質的にランダムな順序で前記スキャンパターンによるＯＣＴを行うように前記光スキャナを制御する制御部と、
前記制御部により前記光スキャナの制御を行いつつ前記データ収集部により収集された検出データに基づいて画像を形成する画像形成部と
を備える眼科撮影装置。
【請求項２】
前記実質的にランダムな順序は、擬似乱数列に基づいて設定される
ことを特徴とする請求項１に記載の眼科撮影装置。
【請求項３】
前記制御部は、前記擬似乱数列を生成する生成部を含む
ことを特徴とする請求項２に記載の眼科撮影装置。
【請求項４】
前記制御部は、
前記実質的にランダムな順序を前記複数のラインに割り当てる条件設定部を含み、
前記条件設定部により割り当てられた前記順序に基づき前記光スキャナの制御を実行する
ことを特徴とする請求項１又は２に記載の眼科撮影装置。
【請求項５】
前記条件設定部は、
擬似乱数列を生成する生成部と、
前記生成部により生成された前記擬似乱数列に基づき前記配列順を変更する順序変更部と
を含み、
前記順序変更部により得られた順序を前記複数のラインに割り当てる
ことを特徴とする請求項４に記載の眼科撮影装置。
【発明の詳細な説明】
【技術分野】
【０００１】
本発明は、眼科撮影装置に関する。
【背景技術】
【０００２】
近年、レーザ光源等からの光ビームを用いて対象を画像化する光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴのような人体に対する侵襲性を持たないことから、医療分野や生物学分野への応用が進んでいる。例えば眼科分野では、眼底や角膜のＯＣＴを行う装置が実用化されている。ＯＣＴ機能を備える眼科撮影装置として、被検眼の３次元領域のデータを収集するための２次元光スキャナを備えたものが知られている（例えば特許文献１を参照）。
【先行技術文献】
【特許文献】
【０００３】
【特許文献１】特開２０１５−１９２９１５号公報
【発明の概要】
【発明が解決しようとする課題】
【０００４】
眼科用ＯＣＴでは、近赤外領域の中心波長を有する測定光が一般に使用されるが、測定光に可視成分が含まれていることもある。可視成分を含む測定光を用いて眼底のＯＣＴを行う場合、測定光の移動軌跡を被検眼が追ってしまい、目的の部位のデータを取得できないことがあった。
【０００５】
例えば、眼底の３次元領域のデータを収集するためにラスタースキャンが適用される場合、従来の眼科撮影装置では、互いに平行に配列された複数のラインがその配列順にスキャンされる。そのため、複数のラインの配列方向に移動する赤い線状の像を眼で追いかけてしまうことがある。
【０００６】
本発明に係る眼科撮影装置の目的は、測定光の移動軌跡を被検眼が追従することを防止することにある。
【課題を解決するための手段】
【０００７】
実施形態の眼科撮影装置は、複数のラインが配列されてなるスキャンパターンで眼底の光コヒーレンストモグラフィ（ＯＣＴ）を行うことが可能な眼科撮影装置であって、データ収集部と光スキャナと制御部と画像形成部とを備える。データ収集部は、眼底に測定光を投射し、その戻り光と参照光との干渉光を検出し、その検出データを収集するよう構成される。光スキャナは、測定光を２次元的に偏向可能に構成される。制御部は、複数のラインの配列順と異なる実質的にランダムな順序で当該スキャンパターンによるＯＣＴを行うように光スキャナを制御するよう構成される。画像形成部は、制御部により光スキャナの制御を行いつつデータ収集部により収集された検出データに基づいて画像を形成するよう構成される。
【発明の効果】
【０００８】
実施形態によれば、測定光の移動軌跡を被検眼が追従することを防止することが可能である。
【図面の簡単な説明】
【０００９】
【図１】実施形態に係る眼科撮影装置の構成の一例を表す概略図。
【図２】実施形態に係る眼科撮影装置の構成の一例を表す概略図。
【図３】実施形態に係る眼科撮影装置の構成の一例を表す概略図。
【図４Ａ】実施形態に係る眼科撮影装置の構成の一例を説明するための概略図。
【図４Ｂ】実施形態に係る眼科撮影装置の構成の一例を説明するための概略図。
【図５】実施形態に係る眼科撮影装置の動作の一例を表すフロー図。
【図６】実施形態に係る眼科撮影装置の構成の一例を表す概略図。
【図７】実施形態に係る眼科撮影装置の動作の一例を表すフロー図。
【発明を実施するための形態】
【００１０】
本発明の幾つかの実施形態について図面を参照しながら詳細に説明する。実施形態の眼科撮影装置は、少なくとも光コヒーレンストモグラフィ（ＯＣＴ）を実行する機能を備えた眼科装置である。
【００１１】
以下、スウェプトソースＯＣＴと眼底カメラとを組み合わせた眼科撮影装置について説明するが、実施形態はこれに限定されない。例えば、ＯＣＴの種別はスウェプトソースＯＣＴには限定されず、スペクトラルドメインＯＣＴ等であってもよい。ここで、スウェプトソースＯＣＴは、波長掃引型（波長走査型）光源からの光を測定光と参照光とに分割し、被検物からの測定光の戻り光を参照光と干渉させて干渉光を生成し、この干渉光をバランスドフォトダイオード等で検出し、波長の掃引及び測定光のスキャンに応じて収集された検出データにフーリエ変換等を施して画像を形成する手法である。スペクトラルドメインＯＣＴは、低コヒーレンス光源からの光を測定光と参照光とに分割し、被検物からの測定光の戻り光を参照光と干渉させて干渉光を生成し、この干渉光のスペクトル分布を分光器で検出し、検出されたスペクトル分布にフーリエ変換等を施して画像を形成する手法である。
【００１２】
眼科撮影装置は、眼底カメラのような被検眼の写真（デジタル写真）を取得する機能を備えていてもいなくてもよい。また、眼底カメラの代わりに、走査型レーザ検眼鏡（ＳＬＯ）や、スリットランプ顕微鏡や、前眼部撮影カメラや、手術用顕微鏡などが設けられてもよい。
【００１３】
〈第１実施形態〉
〈構成〉
図１に示すように、眼科撮影装置１は、眼底カメラユニット２、ＯＣＴユニット１００及び演算制御ユニット２００を含む。眼底カメラユニット２には、従来の眼底カメラとほぼ同様の光学系が設けられている。ＯＣＴユニット１００には、ＯＣＴを実行するための光学系や機構が設けられている。演算制御ユニット２００はプロセッサを含む。被検者の顔を支持するための顎受けや額当てが、眼底カメラユニット２に対向する位置に設けられている。
【００１４】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００１５】
〈眼底カメラユニット２〉
眼底カメラユニット２には、被検眼Ｅの眼底Ｅｆを撮影するための光学系や機構が設けられている。眼底Ｅｆを撮影して得られる画像（眼底像、眼底写真等と呼ばれる）には、観察画像や撮影画像がある。観察画像は、例えば、近赤外光を用いた動画撮影により得られる。撮影画像は、例えば、可視フラッシュ光を用いて得られるカラー画像若しくはモノクロ画像、又は近赤外フラッシュ光を用いて得られるモノクロ画像である。眼底カメラユニット２は、フルオレセイン蛍光画像やインドシアニングリーン蛍光画像や自発蛍光画像などを取得可能であってよい。
【００１６】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００１７】
照明光学系１０の観察光源１１は、例えばハロゲンランプ又はＬＥＤ（Ｌｉｇｈｔ  Ｅｍｉｔｔｉｎｇ  Ｄｉｏｄｅ）である。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（特に眼底Ｅｆ）を照明する。
【００１８】
被検眼Ｅからの観察照明光の戻り光は、対物レンズ２２により屈折され、ダイクロイックミラー４６を透過し、孔開きミラー２１の中心領域に形成された孔部を通過し、ダイクロイックミラー５５を透過し、撮影合焦レンズ３１を経由し、ミラー３２により反射される。更に、この戻り光は、ハーフミラー３３Ａを透過し、ダイクロイックミラー３３により反射され、集光レンズ３４によりＣＣＤイメージセンサ３５の受光面に結像される。ＣＣＤイメージセンサ３５は、例えば所定のフレームレートで戻り光を検出する。なお、撮影光学系３０のピントが眼底Ｅｆに合っている場合には眼底Ｅｆの観察画像が得られ、ピントが前眼部に合っている場合には前眼部の観察画像が得られる。
【００１９】
撮影光源１５は、例えば、キセノンランプ又はＬＥＤを含む可視光源である。撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりＣＣＤイメージセンサ３８の受光面に結像される。
【００２０】
ＬＣＤ３９は、被検眼Ｅを固視させるための固視標を表示する。ＬＣＤ３９から出力された光束（固視光束）は、その一部がハーフミラー３３Ａにて反射され、ミラー３２に反射され、撮影合焦レンズ３１及びダイクロイックミラー５５を経由し、孔開きミラー２１の孔部を通過する。孔開きミラー２１の孔部を通過した固視光束は、ダイクロイックミラー４６を透過し、対物レンズ２２により屈折されて眼底Ｅｆに投射される。ＬＣＤ３９の画面における固視標の表示位置を変更することにより被検眼Ｅの固視位置を変更できる。なお、ＬＣＤ３９の代わりに、複数のＬＥＤが２次元的に配列されたマトリクスＬＥＤや、光源と可変絞り（液晶絞り等）との組み合わせなどを、固視光束生成手段として用いることができる。
【００２１】
眼底カメラユニット２にはアライメント光学系５０とフォーカス光学系６０が設けられている。アライメント光学系５０は、被検眼Ｅに対する光学系のアライメントに用いられるアライメント指標を生成する。フォーカス光学系６０は、被検眼Ｅに対するフォーカス調整に用いられるスプリット指標を生成する。
【００２２】
アライメント光学系５０のＬＥＤ５１から出力されたアライメント光は、絞り５２及び５３並びにリレーレンズ５４を経由し、ダイクロイックミラー５５により反射され、孔開きミラー２１の孔部を通過する。孔開きミラー２１の孔部を通過した光は、ダイクロイックミラー４６を透過し、対物レンズ２２により被検眼Ｅに投射される。
【００２３】
アライメント光の角膜反射光は、対物レンズ２２、ダイクロイックミラー４６及び上記孔部を経由し、その一部がダイクロイックミラー５５を透過し、撮影合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標像）に基づき、従来と同様のマニュアルアライメントやオートアライメントを行うことができる。
【００２４】
フォーカス光学系６０は、撮影光学系３０の光路（撮影光路）に沿った撮影合焦レンズ３１の移動に連動して、照明光学系１０の光路（照明光路）に沿って移動される。反射棒６７は、照明光路に対して挿脱可能である。
【００２５】
フォーカス調整を行う際には、反射棒６７の反射面が照明光路に斜設される。ＬＥＤ６１から出力されたフォーカス光は、リレーレンズ６２を通過し、スプリット視標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投射される。
【００２６】
フォーカス光の眼底反射光は、アライメント光の角膜反射光と同じ経路を通ってＣＣＤイメージセンサ３５により検出される。ＣＣＤイメージセンサ３５による受光像（スプリット指標像）に基づき、従来と同様のマニュアルアライメントやオートアライメントを行うことができる。
【００２７】
撮影光学系３０は、視度補正レンズ７０及び７１を含む。視度補正レンズ７０及び７１は、孔開きミラー２１とダイクロイックミラー５５との間の撮影光路に選択的に挿入可能である。視度補正レンズ７０は、強度遠視を補正するためのプラス（＋）レンズであり、例えば＋２０Ｄ（ディオプター）の凸レンズである。視度補正レンズ７１は、強度近視を補正するためのマイナス（−）レンズであり、例えば−２０Ｄの凹レンズである。視度補正レンズ７０及び７１は、例えばターレット板に装着されている。ターレット板には、視度補正レンズ７０及び７１のいずれも適用しない場合のための孔部が形成されている。
【００２８】
ダイクロイックミラー４６は、眼底撮影用の光路とＯＣＴ用の光路とを合成する。ダイクロイックミラー４６は、ＯＣＴに用いられる波長帯の光を反射し、眼底撮影用の光を透過させる。ＯＣＴ用の光路には、ＯＣＴユニット１００側から順に、コリメータレンズユニット４０、光路長変更部４１、光スキャナ４２、ＯＣＴ合焦レンズ４３、ミラー４４、及びリレーレンズ４５が設けられている。
【００２９】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、例えばコーナーキューブと、これを移動する機構とを含む。
【００３０】
光スキャナ４２は、被検眼Ｅの瞳孔と光学的に共役な位置に配置される。光スキャナ４２は、ＯＣＴ用の光路を通過する測定光ＬＳの進行方向を変更する。それにより、被検眼Ｅが測定光ＬＳでスキャンされる。光スキャナ４２は、ｘｙ平面の任意方向に測定光ＬＳを偏向可能であり、例えば、測定光ＬＳをｘ方向に偏向するガルバノミラーと、ｙ方向に偏向するガルバノミラーとを含む。
【００３１】
〈ＯＣＴユニット１００〉
図２に例示するように、ＯＣＴユニット１００には、被検眼ＥのＯＣＴを実行するための光学系が設けられている。この光学系の構成は、従来のスウェプトソースＯＣＴと同様である。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系を含む。干渉光学系により得られる検出結果（検出信号）は、干渉光のスペクトルを示す信号であり、演算制御ユニット２００に送られる。
【００３２】
光源ユニット１０１は、一般的なスウェプトソースＯＣＴと同様に、出射光の波長を高速で変化させる波長掃引型（波長走査型）光源を含む。波長掃引型光源は、例えば、近赤外レーザ光源である。
【００３３】
光源ユニット１０１から出力された光Ｌ０は、光ファイバ１０２により偏波コントローラ１０３に導かれてその偏光状態が調整される。更に、光Ｌ０は、光ファイバ１０４によりファイバカプラ１０５に導かれて測定光ＬＳと参照光ＬＲとに分割される。
【００３４】
参照光ＬＲは、光ファイバ１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。
【００３５】
コーナーキューブ１１４は、入射した参照光ＬＲの進行方向を逆方向に折り返す。コーナーキューブ１１４に対する参照光ＬＲの入射方向と出射方向は互いに平行である。コーナーキューブ１１４は、参照光ＬＲの入射方向に移動可能であり、それにより参照光ＬＲの光路長が変更される。
【００３６】
図１及び図２に示す構成では、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、光路長変更部４１とコーナーキューブ１１４のいずれか一方のみが設けられもよい。また、これら以外の光学部材を用いて、測定光路長と参照光路長との差を変更することも可能である。
【００３７】
コーナーキューブ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９によりアッテネータ１２０に導かれて光量が調整され、光ファイバ１２１によりファイバカプラ１２２に導かれる。
【００３８】
一方、ファイバカプラ１０５により生成された測定光ＬＳは、光ファイバ１２７により導かれてコリメータレンズユニット４０により平行光束に変換され、光路長変更部４１、光スキャナ４２、ＯＣＴ合焦レンズ４３、ミラー４４及びリレーレンズ４５を経由し、ダイクロイックミラー４６により反射され、対物レンズ２２により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバカプラ１０５に導かれ、光ファイバ１２８を経由してファイバカプラ１２２に到達する。
【００３９】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で干渉光を分岐することにより、一対の干渉光ＬＣを生成する。一対の干渉光ＬＣは、それぞれ光ファイバ１２３及び１２４を通じて検出器１２５に導かれる。
【００４０】
検出器１２５は、例えばバランスドフォトダイオード（Ｂａｌａｎｃｅｄ  Ｐｈｏｔｏ  Ｄｉｏｄｅ）である。バランスドフォトダイオードは、一対の干渉光ＬＣをそれぞれ検出する一対のフォトディテクタを有し、これらによる検出結果の差分を出力する。検出器１２５は、その検出結果（検出信号）をＤＡＱ（Ｄａｔａ  Ａｃｑｕｉｓｉｔｉｏｎ  Ｓｙｓｔｅｍ）１３０に送る。
【００４１】
ＤＡＱ１３０には、光源ユニット１０１からクロックＫＣが供給される。クロックＫＣは、光源ユニット１０１において、波長掃引型光源により所定の波長範囲内で掃引される各波長の出力タイミングに同期して生成される。光源ユニット１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を演算制御ユニット２００に送る。
【００４２】
〈演算制御ユニット２００〉
演算制御ユニット２００は、眼底カメラユニット２、表示装置３及びＯＣＴユニット１００の各部を制御する。また、演算制御ユニット２００は、各種の演算処理を実行する。例えば、演算制御ユニット２００は、一連の波長走査毎に（Ａライン毎に）、検出器１２５により得られた検出結果に基づくスペクトル分布にフーリエ変換等の信号処理を施すことにより、各Ａラインにおける反射強度プロファイルを形成する。更に、演算制御ユニット２００は、各Ａラインの反射強度プロファイルを画像化することにより画像データを形成する。そのための演算処理は、従来のスウェプトソースＯＣＴと同様である。
【００４３】
演算制御ユニット２００は、例えば、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含む。ハードディスクドライブ等の記憶装置には各種コンピュータプログラムが格納されている。演算制御ユニット２００は、操作デバイス、入力デバイス、表示デバイスなどを含んでよい。
【００４４】
〈制御系〉
眼科撮影装置１の制御系の構成例を図３に示す。
【００４５】
〈制御部２１０〉
制御部２１０は、眼科撮影装置１の各部を制御する。制御部２１０はプロセッサを含む。制御部２１０には、主制御部２１１と記憶部２１２とが設けられている。
【００４６】
〈主制御部２１１〉
主制御部２１１は各種の制御を行う。例えば、主制御部２１１は、撮影合焦レンズ３１、ＣＣＤ（イメージセンサ）３５及び３８、ＬＣＤ３９、光路長変更部４１、光スキャナ４２、ＯＣＴ合焦レンズ４３、フォーカス光学系６０、反射棒６７、光源ユニット１０１、参照駆動部１１４Ａ、検出器１２５、ＤＡＱ１３０などを制御する。参照駆動部１１４Ａは、参照光路に設けられたコーナーキューブ１１４を移動させる。それにより、参照光路の長さが変更される。
【００４７】
〈記憶部２１２〉
記憶部２１２は各種のデータを記憶する。記憶部２１２に記憶されるデータとしては、例えば、ＯＣＴ画像の画像データ、眼底像の画像データ、被検眼情報などがある。被検眼情報は、患者ＩＤや氏名などの被検者情報や、左眼／右眼の識別情報や、電子カルテ情報などを含む。
【００４８】
更に、記憶部２１２にはスキャン情報２１２ａが予め記憶される。スキャン情報２１２ａには、１以上のスキャンパターンのスキャン条件が記録されている。スキャンパターンが複数のラインを含む場合、そのスキャンパターンのスキャン条件には、複数のラインを順次にスキャンするときの順序を示す情報（スキャン順序情報）が含まれる。
【００４９】
図４Ａ及び図４Ｂを参照してスキャン順序情報の具体例を説明する。図４Ａは、複数のライン３００−１、３００−２、３００−３、・・・、３００−Ｎが互いに平行に配列されてなるラスタースキャン（３次元スキャン）３００を表す。図４Ｂは、ラスタースキャン３００について予め作成されたスキャン順序情報２１２ｂを表す。スキャン順序情報２１２ｂは、ラスタースキャン３００に含まれるＮ本のライン３００−ｎ（ｎ＝１〜Ｎ）の配列順ｎと、それらのスキャン順ｍとを対応付けている。配列順ｎは、図４Ａに示すように、Ｎ本のライン３００−ｎ（ｎ＝１〜Ｎ）の空間的配置を表す自然な順序である。また、スキャン順ｍは、Ｎ本のライン３００−ｎ（ｎ＝１〜Ｎ）に沿ったスキャンを順次に行うときの時間的な順序である。
【００５０】
なお、図４Ａに示すＮ本のライン３００−ｎ（ｎ＝１〜Ｎ）の間隔（スペーシング）、つまり隣接するライン３００−ｎ及び３００−（ｎ＋１）の間の距離は、任意に設定可能である。例えば、Ｎ本のライン３００−ｎ（ｎ＝１〜Ｎ）の間隔は一定でもよいし一定でなくてもよい。
【００５１】
また、１つのライン３００−ｎのスキャンを複数回実行する計測手法がある。例えば、眼底Ｅｆの血管を強調表示するＯＣＴ−Ａｎｇｉｏｇｒａｐｈｙが行われる場合、１つのライン３００−ｎのスキャンが所定回数（例えば４回）だけ反復される。また、ＯＣＴを用いて血流動態（血流速度、血流量等）を測定する場合、１つのライン３００−ｎのスキャンが所定時間（例えば２秒間）にわたって反復される。このような場合、Ｎ本のライン３００−ｎ（ｎ＝１〜Ｎ）のスキャンは、例えば、少なくとも次の２つの条件を満足するように実行される：（条件１）スキャン順ｍが示す順序でＮ本のライン３００−ｎ（ｎ＝１〜Ｎ）のスキャンを順次に実行する；（条件２）各ライン３００−ｎのスキャンを所定回数ずつ又は所定時間ずつ実行する。
【００５２】
また、実際のスキャンにおいてトラッキングが適用される場合がある。トラッキングは、眼底Ｅｆの観察画像等を利用して被検眼Ｅの動きをモニタしつつ、その動きに合わせて光スキャナ４２をリアルタイムで制御することにより、眼球運動や体動や拍動に伴う被検眼Ｅの位置ズレを打ち消す技術である。トラッキングが適用される場合、例えば、ライン３００−ｎの形状及びサイズは不変であるが、その位置及び／又は向きがリアルタイムで調整される。ライン３００−ｎのデフォルト位置やデフォルト向きからのオフセット量は、例えば、観察画像に描出される眼底Ｅｆの特徴点の位置の時系列変化から得られる。
【００５３】
さて、スキャン順序情報２１２ｂには、配列順ｎに対しスキャン順ｍｎが対応付けられている（ｎ＝１〜Ｎ）。Ｎ個のスキャン順ｍ１、ｍ２、ｍ３、・・・、ｍＮは、任意の異なる配列順ｎ１とｎ２について、スキャン順ｍｎ１とｍｎ２も異なる。また、配列順ｎの個数とスキャン順ｍｎの個数はともにＮである。つまり、本例のスキャン順序情報２１２ｂは、ラスタースキャンに含まれるＮ本のライン３００−ｎ（ｎ＝１〜Ｎ）の置換（ｐｅｒｍｕｔａｔｉｏｎ）を与えるものであり、かつ、Ｎ本のライン３００−ｎ（ｎ＝１〜Ｎ）の空間的順序を時間的順序に変換するものである。また、この変換（置換）は恒等変換ではない（つまり、ｎ≠ｍｎとなるｎが少なくとも２つ存在する）。
【００５４】
スキャン順序情報２１２ｂを作成するための置換は、例えば、擬似乱数列に基づいて設定される。擬似乱数列は、公知の擬似乱数列生成法（擬似乱数列生成器）によって生成される。擬似乱数列生成法の例として、平方採中法、線形合同法（乗算合同法、混合合同法）、線形帰還シフトレジスタ、メルセンヌ・ツイスタ、キャリー付き乗算、Ｘｏｒｓｈｉｆｔ、Ｌａｇｇｅｄ  Ｆｉｂｏｎａｃｃｉ法、Ｂｌｕｍ−Ｂｌｕｍ−Ｓｈｕｂ（ＢＢＳ）、Ｆｏｒｔｕｎａなどがある。或いは、眼科撮影装置の製造者やユーザが配列順を任意に置換する（ｐｅｒｍｕｔｅ）ことによってスキャン順序情報２１２ｂを作成することもできる。
【００５５】
配列順ｎ＝１〜ｎの置換において、連続する２以上の配列順ｎ、ｎ＋１、・・・、ｎ＋ｉ（ｉは１〜Ｎ−１の間の任意の整数）がスキャン順ｍｎにおいて連続しないようにスキャン順序情報２１２ｂを作成することができる。或いは、そのような連続配列がせいぜい所定数だけ含まれるようにスキャン順序情報２１２ｂを作成することができる。また、連続する２つの配列順ｎ、ｎ＋１に対応するスキャン順ｍｎ、ｍｎ＋１が所定間隔以上離れて配置されるようにスキャン順序情報２１２ｂを作成することができる。ここに例示したスキャン順序情報の作成方法は、空間的配列が連続するライン３００−ｎ〜３００−（ｎ＋ｊ）（ｊは１〜Ｎ−１の間の任意の整数）が時間的に連続してスキャンされることを可能な限り避けるための工夫である。この目的の達成を図るための任意の工夫をスキャン順序情報の作成において施すことが可能である。
【００５６】
スキャン順序情報は本例には限定されない。例えば、ラスタースキャン以外のスキャンパターンであっても、複数のラインが配列されてなるスキャンパターンであれば、本例と同様にしてスキャン順序情報を作成することができる。そのようなスキャンパターンの例として、複数のラインが放射状に配列されたラジアルスキャンや、互いに直交する２つのライン群（例えば互いに平行な５本のラインからなる群）からなるマルチクロススキャン、径が異なる複数のサークルが同心円状に配列された同心円スキャンなどがある。
【００５７】
また、同様のライン配列であっても、そのサイズや形状に応じたスキャンパターンを個別に設けることができる。例えば、正方形エリアに複数のラインが互いに平行に配列されたラスタースキャンや、長方形エリアに複数のラインが平行に配列されたラスタースキャンを設けることができる。また、正方形エリアのラスタースキャンであっても、例えば６ｍｍ×６ｍｍのサイズのラスタースキャンと、９ｍｍ×９ｍｍのサイズのラスタースキャンとを設けることができる。
【００５８】
スキャン情報２１２ａは、複数のスキャン順序情報を含んでいてよい。ここで、同じスキャンパターンについて２以上のスキャン順序情報が設けられてもよいし、異なる２以上のスキャンパターンのそれぞれについてスキャン順序情報が設けられてもよい。複数のスキャン順序情報がスキャン情報２１２ａに含まれる場合、事前に設定されたスキャンパターンに対応するスキャン順序情報が例えば主制御部２１１により選択される。１つのスキャンパターンについて２以上のスキャン順序情報が設けられている場合、例えば、被検眼Ｅに対して過去に適用されたスキャン順序情報（例えば、好適にスキャンが実施されたときに適用されたスキャン順序情報）が選択される。或いは、被検者の属性（年齢、疾患等）に応じてスキャン順序情報を選択することも可能である。
【００５９】
〈画像形成部２２０〉
画像形成部２２０は、ＤＡＱ１３０から入力された検出信号のサンプリング結果に基づいて、眼底Ｅｆの断面像の画像データを形成する。この処理には、従来のスウェプトソースＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの信号処理が含まれる。画像形成部２２０により形成される画像データは、スキャンラインに沿って配列された複数のＡライン（ｚ方向のライン）における反射強度プロファイルを画像化することにより形成された一群の画像データ（一群のＡスキャン像データ）を含むデータセットである。
【００６０】
画像形成部２２０は、例えば、プロセッサ及び専用回路基板の少なくともいずれかを含む。なお、本明細書では、「画像データ」と、それに基づく「画像」とを同一視することがある。また、被検眼Ｅの部位とそれを表す画像とを同一視することがある。
【００６１】
〈データ処理部２３０〉
データ処理部２３０は、画像形成部２２０により形成された画像に対して画像処理や解析処理を施す。例えば、データ処理部２３０は、画像の輝度補正や分散補正等の補正処理を実行する。また、データ処理部２３０は、眼底カメラユニット２により得られた画像（眼底像、前眼部像等）に対して画像処理や解析処理を施す。データ処理部２３０は、例えば、プロセッサ及び専用回路基板の少なくともいずれかを含む。
【００６２】
データ処理部２３０は、画像形成部２２０により形成された複数の断層像の間の画素を補間する補間処理を実行するなどして、眼底Ｅｆの３次元画像を形成する。３次元画像の画像データとは、３次元座標系により画素の位置が定義された画像である。３次元画像としては、複数のスキャンラインに沿う複数の断層像をスキャンラインの位置関係に基づいて３次元的に配列することで得られるスタックデータや、スタックデータの補間等を行って得られるボクセルデータ（ボリュームデータ）などがある。３次元画像にレンダリング（ボリュームレンダリング、ＭＩＰ（Ｍａｘｉｍｕｍ  Ｉｎｔｅｎｓｉｔｙ  Ｐｒｏｊｅｃｔｉｏｎ：最大値投影）など）を施すことにより表示用画像が形成される。また、３次元画像に断面を設定し、それを表示することができる（多断面再構成：ＭＰＲ）。また、３次元画像の少なくとも一部をｚ方向（Ａライン方向、深さ方向）に投影することにより、プロジェクションデータやシャドウグラムが得られる。
【００６３】
〈ユーザインターフェイス２４０〉
ユーザインターフェイス２４０は表示部２４１と操作部２４２とを含む。表示部２４１は表示装置３を含む。操作部２４２は各種の操作デバイスや入力デバイスを含む。ユーザインターフェイス２４０は、例えばタッチパネルのような表示機能と操作機能とが一体となったデバイスを含んでいてもよい。ユーザインターフェイス２４０の少なくとも一部を含まない実施形態を構築することも可能である。例えば、表示デバイスは、眼科撮影装置に接続された外部装置であってよい。
【００６４】
〈動作〉
眼科撮影装置１の動作について説明する。動作の一例を図５に示す。
【００６５】
（Ｓ１：スキャンパターンを設定する）
まず、眼底ＥｆのＯＣＴのスキャンパターンが設定される。スキャンパターンは、例えば、ユーザインターフェイス２４０を用いて手動で設定される。或いは、過去に適用されたスキャンパターンや疾患種別に基づいて主制御部２１１がスキャンパターンを自動で設定することもできる。ここで、過去に適用されたスキャンパターンや疾患種別は、電子カルテ等を参照して取得される。
【００６６】
（Ｓ２：スキャンパターンに対応するスキャン順序情報を選択する）
主制御部２１１は、ステップＳ１で設定されたスキャンパターンに対応するスキャン順序情報をスキャン情報２１２ａから取得する。
【００６７】
（Ｓ３：スキャン順序情報に基づき光スキャナを制御しつつＯＣＴを行う）
ＯＣＴ開始のトリガを受けて、主制御部２１１は、ＯＣＴユニット１００や光スキャナ４２を制御することにより、眼底ＥｆのＯＣＴを実行する。このとき、主制御部２１１は、ステップＳ２で取得されたスキャン順序情報に基づき光スキャナ４２を制御する。
【００６８】
一例として、図４Ｂに示すスキャン順序情報２１２ｂが選択された場合、主制御部２１１は、図４Ａに示すラスタースキャン３００に含まれる複数のライン３００−ｎ（ｎ＝１〜Ｎ）を、スキャン順ｍ１、ｍ２、ｍ３、・・・、ｍＮが示す順序で実行する。それにより、複数のライン３００−ｎ（ｎ＝１〜Ｎ）に沿うスキャンが、その配列順と異なる順序で実行される。擬似乱数列が適用される場合、複数のライン３００−ｎ（ｎ＝１〜Ｎ）に沿うスキャンが実質的にランダムな順序で実行される。また、空間的に連続して配列された２以上のライン３００−ｎ、３００−（ｎ＋１）、・・・、３００−（ｎ＋ｊ）に沿うスキャンが連続して実行されないように光スキャナ４２を制御することができる。また、空間的に連続して配列された２つのライン３００−ｎ、３００−（ｎ＋１）に沿うスキャンが所定時間間隔以上離れたタイミングで実行されるように光スキャナ４２を制御することができる。このようなスキャンによれば、空間的配列が連続するライン３００−ｎ〜３００−（ｎ＋ｊ）（ｊは１〜Ｎ−１の間の任意の整数）が時間的に連続してスキャンされることを可能な限り避けることができる。
【００６９】
なお、前述したように、Ｎ本のライン３００−ｎ（ｎ＝１〜Ｎ）の間隔（スペーシング）を変更するためのパラメータがスキャン順序情報２１２ｂに含まれている場合、主制御部２１１は、スキャン順ｍ１、ｍ２、ｍ３、・・・、ｍＮが示す順序で、かつ、当該パラメータが表すスペーシングで複数のライン３００−ｎ（ｎ＝１〜Ｎ）を実行するように、光スキャナ４２を制御することができる。また、後述のように、スキャンの速度（時間的間隔）を変更するためのパラメータがスキャン順序情報２１２ｂに含まれている場合、主制御部２１１は、スキャン順ｍ１、ｍ２、ｍ３、・・・、ｍＮが示す順序で、かつ、当該パラメータが表すスキャン速度で複数のライン３００−ｎ（ｎ＝１〜Ｎ）を実行するように、光スキャナ４２を制御することができる。なお、スペーシングを変更するためのパラメータとスキャン速度を変更するためのパラメータの双方がスキャン順序情報２１２ｂに含まれている場合、スキャン順、スペーシング及びスキャン速度のうちの一部又は全部を変更するように制御を行うことが可能である。
【００７０】
（Ｓ４：ＯＣＴ画像を形成する）
画像形成部２２０は、ステップＳ３で収集されたデータに基づいてＯＣＴ画像を形成する。このＯＣＴ画像をデータ処理部２３０により加工することができる。例えば、画像形成部２２０により形成された複数のＢスキャン画像から３次元画像（ボリュームデータ、スタックデータ等）を形成することができる。
【００７１】
一例として、スキャン順序情報２１２ｂに基づき順序が変換されたラスタースキャン３００が適用された場合、データ処理部２３０は、スキャン順序情報２１２ｂに基づき、複数のライン３００−ｎに対応する複数のＢスキャン画像を並べ替える。具体的には、データ処理部２３０は、スキャン順序情報２１２ｂに基づき、複数のＢスキャン画像の時系列的順序を複数のライン３００−ｎの空間的配列順序に逆変換する。つまり、スキャンを行うための変換ｆ（ｎ）＝ｍｎの逆変換ｆ−１（ｍｎ）＝ｎが適用される。なお、前述のように変換ｆは全単射であるから逆変換ｆ−１が一意的に決定される。
【００７２】
データ処理部２３０は、更に、空間的配列順序に並べ替えられた複数のＢスキャンを、複数のライン３００−ｎの位置関係に基づき単一の３次元座標系に埋め込む。それによりスタックデータが生成される。データ処理部２３０は、このスタックデータからボリュームデータを作成することができる。更に、スタックデータ又はボリュームデータに基づいて、ボリュームレンダリング画像やＭＰＲ画像やプロジェクション画像やシャドウグラムを形成することができる。主制御部２１１は、Ｂスキャン画像や、スタックデータ又はボリュームデータから形成された画像を、表示部２４１に表示させることができる。
【００７３】
〈作用・効果〉
実施形態に係る眼科撮影装置の作用及び効果について説明する。
【００７４】
実施形態の眼科撮影装置は、複数のラインが配列されてなるスキャンパターンで眼底の光コヒーレンストモグラフィ（ＯＣＴ）を行うよう構成され、データ収集部と光スキャナと制御部と画像形成部とを含む。
【００７５】
データ収集部は、眼底に測定光を投射し、その戻り光と参照光との干渉光を検出し、その検出データを収集するよう構成される。本実施形態では、ＯＣＴユニット１００内の要素と、測定アームを形成する光学部材とが、データ収集部に含まれる。
【００７６】
光スキャナは、測定光を２次元的に偏向可能に構成される。本実施形態では、光スキャナ４２がこれに相当する。
【００７７】
制御部は、複数のラインの配列順（つまり空間的な配列順序）と異なる順序（つまり時系列的な順序）でスキャンパターンによるＯＣＴを行うように光スキャナを制御する。本実施形態では、主制御部２１１がこれに相当する。
【００７８】
画像形成部は、制御部により光スキャナの制御を行いつつデータ収集部により収集された検出データに基づいて画像を形成する。本実施形態では、画像形成部２２０（及びデータ処理部２３０）がこれに相当する。
【００７９】
このような実施形態によれば、スキャンパターンに含まれる複数のラインに沿うスキャンを複数のラインの空間的配列順序と異なる順序で実行することができる。したがって、複数のラインの空間的配列順序にしたがってスキャンを行う従来の装置と比較して、測定光の移動軌跡を被検眼が追従してしまう可能性が低減される。
【００８０】
〈第２実施形態〉
第１実施形態では、スキャン順序情報が予め記憶された眼科撮影装置について説明した。これに対し、第２実施形態では、スキャン順序情報を作成する機能を備えた眼科撮影装置について説明する。なお、特に言及しない限り、第１実施形態と同様の構成要素には同じ符号を用いる。
【００８１】
本実施形態の眼科撮影装置は、第１実施形態と同様のハードウェアを備えてよい（図１〜図３等を参照）。本実施形態の制御系の構成の一部を図６に示す。図６に示す制御部２１０Ａは、図３に示す制御部２１０の代わりに適用される。制御部２１０Ａには、第１実施形態の主制御部２１１及び記憶部２１２と同様に主制御部２１１Ａ及び記憶部２１２Ａが設けられている。記憶部２１２Ａは、スキャン情報２１２ａを記憶していなくてよい。
【００８２】
制御部２１０Ａには更に条件設定部２１３Ａが設けられている。条件設定部２１３Ａは、ＯＣＴスキャンに関する各種条件（スキャン条件）を設定する。スキャン条件としては、スキャンパターン、スキャンエリアのサイズ、測定光の波長帯、フォーカス位置などがある。本実施形態では特に、複数のラインを含むスキャンパターン（ラスタースキャン等）が適用される場合に、複数のラインの空間的な配列順と異なる順序（スキャン順序）を割り当てる処理を行う。条件設定部２１３Ａは、任意の手法でスキャン順序を決定することができる（例えば第１実施形態で説明した各種の手法）。ここでは、擬似乱数列を利用して実質的にランダムなスキャン順序を設定可能な構成を説明する。
【００８３】
条件設定部２１３Ａは、擬似乱数列生成部２１３１と順序変更部２１３２と順序割当部２１３３とを備える。擬似乱数列生成部２１３１は、擬似乱数列を生成する。擬似乱数列生成部２１３１は公知の擬似乱数列生成アルゴリズムを実行可能な擬似乱数列生成器を含む。擬似乱数列生成器は、擬似乱数列生成プログラムと、これを実行するプロセッサとを含む。
【００８４】
順序変更部２１３２は、擬似乱数列生成部２１３１により生成された擬似乱数列に基づいて、スキャンパターンに含まれる複数のラインの配列順（空間的配列順序）を変更する。それにより、複数のラインのスキャン順序（時系列的順序）が得られる。ここで、順序変更部２１３２は、擬似乱数列をそのまま用いて順序変更を行なってもよいし、擬似乱数列に加工を施して順序変更を行なってもよい。後者の例として、所定の条件を満足するように擬似乱数列（又は擬似乱数列をそのまま適用して得られたスキャン順序）を変更することができる。例えば、空間的に連続して配列された２以上のラインに沿うスキャンが連続して実行されないように加工を行ったり、空間的に連続して配列された２つのラインに沿うスキャンが所定時間間隔以上離れたタイミングで実行されるように加工を行ったりできる。このような条件を満足することで、空間的配列が連続するラインが時間的に連続してスキャンされることを可能な限り避けることができる。
【００８５】
順序割当部２１３３は、順序変更部２１３２により設定されたスキャン順序を、スキャンパターンに含まれる複数のラインに割り当てる。
【００８６】
眼科撮影装置１の動作について説明する。動作の一例を図７に示す。
【００８７】
（Ｓ１１：スキャンパターンを設定する）
まず、眼底ＥｆのＯＣＴのスキャンパターンが設定される。スキャンパターンの設定は、第１実施形態と同様に行われる。
【００８８】
（Ｓ１２：擬似乱数列を生成する）
擬似乱数列生成部２１３１は、ステップＳ１で設定されたスキャンパターンに含まれるラインの本数に基づいて擬似乱数列を生成する。
【００８９】
（Ｓ１３：複数のスキャンラインの配列順を変更する）
順序変更部２１３２は、ステップＳ２で生成された擬似乱数列に基づいて、スキャンパターンに含まれる複数のラインの空間的配列順序を変更する。それにより、複数のラインのスキャン順序（時系列的順序）が得られる。
【００９０】
（Ｓ１４：複数のスキャンラインにスキャン順序を割り当てる）
順序割当部２１３３は、ステップＳ１３で得られたスキャン順序を、スキャンパターンに含まれる複数のラインに割り当てる。
【００９１】
（Ｓ１５：スキャン順序情報に基づき光スキャナを制御しつつＯＣＴを行う）
ＯＣＴ開始のトリガを受けて、主制御部２１１は、ＯＣＴユニット１００や光スキャナ４２を制御することにより、眼底ＥｆのＯＣＴを実行する。このとき、主制御部２１１は、ステップＳ１４で割り当てられたスキャン順序で複数のラインをスキャンするように光スキャナ４２を制御する。
【００９２】
（Ｓ１６：ＯＣＴ画像を形成する）
画像形成部２２０は、ステップＳ１５で収集されたデータに基づいてＯＣＴ画像を形成する。
【００９３】
本実施形態に係る眼科撮影装置の作用及び効果について説明する。
【００９４】
本実施形態の眼科撮影装置は、第１実施形態と同様に、複数のラインが配列されてなるスキャンパターンで眼底の光コヒーレンストモグラフィ（ＯＣＴ）を行うよう構成され、データ収集部と光スキャナと制御部と画像形成部とを含む。
【００９５】
本実施形態の制御部（２１０Ａ）は、条件設定部（２１３Ａ）を含む。条件設定部は、ＯＣＴスキャンの条件を設定するよう機能し、特に、複数のラインの配列順（空間的配列順序）と異なる順序（スキャン順序）を複数のラインに割り当てる。制御部は、条件設定部により複数のラインに割り当てられた順序に基づいて光スキャナの制御を実行する。
【００９６】
条件設定部は、生成部と順序変更部とを含んでよい。生成部（擬似乱数列生成部２１３１）は、擬似乱数列を生成する。順序変更部（２１３２）は、生成部により生成された擬似乱数列に基づいて、スキャンパターンに含まれる複数のラインの配列順（空間的配列順序）を変更する。条件設定部は、順序変更部により得られた順序（スキャン順序、時系列的順序）を複数のラインに割り当てる（順序割当部２１３３）。
【００９７】
このような実施形態によれば、スキャンパターンに含まれる複数のラインに沿うスキャンを複数のラインの空間的配列順序と異なる順序で実行することができる。したがって、複数のラインの空間的配列順序にしたがってスキャンを行う従来の装置と比較して、測定光の移動軌跡を被検眼が追従してしまう可能性が低減される。
【００９８】
〈変形例〉
以上に説明した実施形態は本発明の一例に過ぎない。本発明を実施しようとする者は、本発明の要旨の範囲内における変形（省略、置換、付加等）を任意に施すことが可能である。
【００９９】
例えば、第１又は第２実施形態において、制御部２１０（又は２１０Ａ）は、スキャンパターンに含まれる複数のラインの配列順（空間的配列順序）に応じてＯＣＴを行う第１モードと、複数のラインの配列順と異なる順序（時系列的順序）でＯＣＴを行う第２モードとを選択して光スキャナ４２の制御を行うよう構成されてよい。例えば、被検者の年齢や、過去の検査における状況などに応じてモードを選択することができる。モードの選択は、ユーザ又は制御部２１０（２１０Ａ）によって行われる。
【０１００】
また、制御部２１０（２１０Ａ）は、ＯＣＴが行われる眼底Ｅｆの部位に応じて第１モード又は第２モードを選択するよう構成されてよい。例えば、スキャンエリアが眼底の中心領域に設定される場合（例えばスキャンエリアが黄斑を含む場合など）には、複数のラインの配列順と異なる順序が適用される第２モードを選択し、スキャンエリアが眼底の周辺領域（例えばスキャンエリアが黄斑を含まない場合）には、複数のラインの配列順がそのまま適用される第１モードを選択することが可能である。
【０１０１】
上記の実施形態において、図４Ａに示すＮ本のライン３００−ｎ（ｎ＝１〜Ｎ）を複数回ずつスキャンする計測手法がある。例えば、前述のＯＣＴ−Ａｎｇｉｏｇｒａｐｈｙでは、眼底Ｅｆの同じ部位を複数回撮影し、その部位の構造の時間的な変化から動きの特徴を求める。複数回の撮影において、一般には撮影される眼底組織の部分は時間的に不変であるが、血管内部の血流部分は時間的に変化する。このような時間的変化が存在する部分（血流信号）を強調して描出する手法がＯＣＴ−Ａｎｇｉｏｇｒａｐｈｙである。ＯＣＴ−Ａｎｇｉｏｇｒａｐｈｙでは、図４Ａに示すようなラスタースキャンに含まれる複数のライン３００−ｎ（ｎ＝１〜Ｎ）が順次にスキャンされる。微弱な血流信号を抽出するには、短い時間間隔で同一部位を繰り返しスキャンして得られた複数の画像から血流信号を求めるよりも、比較的長い時間間隔で得られた複数の画像の時間的変化を抽出する方が、その変化量を確実に捉えることができる。同一部位に対するスキャンの時間間隔を長くするには、当該部位の複数回のスキャンを連続的にかつ時間間隔を空けて行うように光スキャナ４２を制御するよりも、その空白時間に他の部位のスキャンを行う方が、スキャン全体を最適化できる（例えば、全撮影時間が短縮される）。よって、ＯＣＴ−Ａｎｇｉｏｇｒａｐｈｙでは、撮影時間や撮影フローが最適化されるように複数のライン３００−ｎ（ｎ＝１〜Ｎ）のスキャン順ｍが予め設定され、それに基づきスキャン順序情報２１２ｂ（図４Ｂ）が作成される。なお、この場合のスキャン順序はランダムであってもよいが、規則的な順序が有効と考えられる。
【０１０２】
上記の実施形態では、複数のライン３００−ｎ（ｎ＝１〜Ｎ）のスキャン順を変更する場合について説明したが、このようなスキャン順の変更に加えてスキャンの密度（空間的間隔）や速度（時間的間隔）の変更を適用することも可能である。例えば、複数のライン３００−ｎ（ｎ＝１〜Ｎ）を任意の順序でスキャンする場合において、初期のスキャン速度を速くし、中期のスキャン速度を遅くし、終期のスキャン速度を速くしつつ、検出側のサンプリングを一定速度で実行するように制御を行うことが可能である。それにより、比較的重要な部位のスキャンを高密度で行うことができる。特に、疾患部位や視神経乳頭周囲のような注目部位に対するスキャン密度を調整することが可能である。このような制御は、図４Ａに示すような横方向に延びる複数のライン３００−ｎ（ｎ＝１〜Ｎ）を含むスキャンだけでなく、縦方向に並ぶ複数のラインを含むスキャンや同心円状に並ぶ複数のサークルを含むスキャンなどの任意のスキャンパターンにも適用可能である。
【０１０３】
１  眼科撮影装置
４２  光スキャナ
１００  ＯＣＴユニット
２１０  制御部
２２０  画像形成部
２３０  データ処理部
【図１】
0006685119.tif 000002
【図２】
0006685119.tif 000003
【図３】
0006685119.tif 000004
【図４Ａ】
0006685119.tif 000005
【図４Ｂ】
0006685119.tif 000006
【図５】
0006685119.tif 000007
【図６】
0006685119.tif 000008
【図７】
0006685119.tif 000009